(57)【特許請求の範囲】
【請求項１】
撮影空間内の一以上の被写体を撮影手段で撮影して撮影画像を作成する撮影処理を許容し、
撮影画像を編集手段で編集して編集画像を作成する編集処理を許容し、
前記撮影画像又は／および前記編集画像を出力手段で出力する写真撮影編集方法であって、
前記編集手段が設置される編集空間が前記撮影空間から見て前記撮影手段後方側で該撮影手段の左右の少なくとも一方に備えられ、
前記編集空間と前記撮影空間とを仕切る仕切り体が備えられ、
該仕切り体のうち前記編集空間側の表面の少なくとも一部が、前記撮影手段の左右真横より撮影方向前方で、かつ該撮影手段の画角の外側で、かつ前記撮影空間の左右幅より内側に位置する構成にされ、
前記仕切り体の前記編集空間側に、前記編集手段が備えられ、
前記撮影手段の左右真横より撮影方向前方でかつ該撮影手段の画角の外側に存在する前記編集空間の一部を利用した前記編集処理で、該編集手段による編集を許容する
写真撮影編集方法。
【請求項２】
前記仕切り体の前記撮影空間側に、撮影空間内の被写体を照明する照明手段が備えられ、
前記撮影処理で、前記照明手段により照明した被写体の撮影画像を作成する
請求項１記載の写真撮影編集方法。
【請求項３】
前記仕切り体は、該撮影手段の画角の境界線に沿って板状に配置され、
前記仕切り体の全面に渡って備えられた前記照明手段により前記被写体を照明する
請求項２記載の写真撮影編集方法。
【請求項４】
前記撮影空間のうち前記撮影手段が備えられた正面と対向する背面に、利用者の出入りを許容する出入り口が備えられ、
該出入り口から前記撮影空間への出入りを許容する
請求項１、２または３記載の写真撮影編集方法。
【請求項５】
撮影空間内の一以上の被写体を撮影して撮影画像を作成する撮影処理を実行可能な撮影手段と、
撮影画像を編集して編集画像を作成する編集処理を実行可能な編集手段と、
前記撮影画像又は／および前記編集画像を出力する出力手段とを備えた写真撮影編集装置であって、
前記編集手段が設置される編集空間を前記撮影空間から見て前記撮影手段後方側で該撮影手段の左右の少なくとも一方に備え、
前記編集空間と前記撮影空間とを仕切る仕切り体を備え、
該仕切り体のうち前記編集空間側の表面の少なくとも一部が、前記撮影手段の左右真横より撮影方向前方で、かつ該撮影手段の画角の外側で、かつ前記撮影空間の左右幅より内側に位置する構成にし、
前記仕切り体の前記編集空間側に、前記編集手段が備えた
写真撮影編集装置。
【請求項６】
前記仕切り体の前記撮影空間側に、撮影空間内の被写体を照明する照明手段を備えた
請求項５記載の写真撮影編集装置。
【請求項７】
前記仕切り体は、該撮影手段の画角の境界線に沿って板状に配置され、
前記照明手段は、前記仕切り体の全面に渡って備えられた
請求項６記載の写真撮影編集装置。
【請求項８】
前記撮影空間のうち前記撮影手段が備えられた正面と対向する背面に、利用者の出入りを許容する出入り口を備えた
請求項５、６または７記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を出力するような写真撮影編集方法およびその装置に関する。
【背景技術】
【０００２】
従来、撮影空間内にいる被写体となる利用者をデジタルカメラで撮影し、利用者を編集空間に移動させ、取得した撮影画像に編集空間内のタッチパネルで編集（落書き）許容し、完成した編集画像を写真シール紙に印刷して排出するという流れで１ゲームが終了する写真撮影編集装置が提供されている。
【０００３】
最近では、撮影空間１箇所に対して編集空間を２箇所以上設け、３重接客等の多重接客により利用者の回転率（単位時間あたりの利用回数）の向上を図る写真撮影編集装置も考えられている。この多重接客の写真撮影編集装置の形態もメーカによって様々である。
【０００４】
例えば、利用者の回転率向上を図るために、直方体の撮影空間の前面または背面のどちらかに隣接して複数の編集空間を備えた写真プリント供給装置や、複数の編集モニタを対面式に設置した写真プリント供給装置が提案されている（特許文献１参照）。
【０００５】
また、同一空間にて撮影作業と編集作業を並行して実行し、編集作業用スペースを撮影に影響のない場所に設置した写真シール払出装置も提案されている（特許文献２参照）。
【０００６】
しかし、特許文献１の写真プリント供給装置は、多重接客により利用者の回転率を向上できても、全ての空間を含めて１つの筐体と考えた場合、大型化してしまうものである。筐体を設置する店舗は、床面積が限られているため、筐体が占有する床面積が広くなると空間の利用効率が低下するという問題点がある。
【０００７】
また、特許文献２の写真シール払出装置は、１重接客であるため、多重接客に比べると利用者の回転率が低下するという問題点がある。
【０００８】
【特許文献１】特開２００５−２８４２９７号公報
【特許文献２】特開２００５−１６４９７６号公報
【発明の開示】
【発明が解決しようとする課題】
【０００９】
この発明は、上述の問題に鑑み、多重接客が可能なように撮影空間と編集空間を個別に備え、かつ空間を効率良く利用できる写真撮影編集方法および写真撮影編集装置を提供することを目的とする。
【課題を解決するための手段】
【００１０】
この発明は、撮影空間内の一以上の被写体を撮影手段で撮影して撮影画像を作成する撮影処理を許容し、撮影画像を編集手段で編集して編集画像を作成する編集処理を許容し、前記撮影画像又は／および前記編集画像を出力手段で出力する写真撮影編集方法またはその装置であって、前記編集手段が設置される編集空間が前記撮影空間から見て前記撮影手段後方側で該撮影手段の左右の少なくとも一方に備えられ、前記編集空間と前記撮影空間とを仕切る仕切り体が備えられ、該仕切り体のうち前記編集空間側の表面の少なくとも一部が、前記撮影手段の左右真横より撮影方向前方で、かつ該撮影手段の画角の外側で、かつ前記撮影空間の左右幅より内側に位置する構成にされ、前記仕切り体の前記編集空間側に、前記編集手段が備えられ、前記撮影手段の左右真横より撮影方向前方でかつ該撮影手段の画角の外側に存在する前記編集空間の一部を利用した前記編集処理で、該編集手段による編集を許容する写真撮影編集方法またはその装置であることを特徴とする。
【００１１】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することができる。  
前記撮影手段は、デジタルカメラ又はデジタルビデオカメラで構成することができる。
【００１２】
前記編集空間は、編集用に利用者に提供する空間を指し、前記編集手段を利用者が操作できる範囲や視認できる範囲の空間で構成することができる。  
前記編集手段は、利用者にタッチペン又は指でタッチされた座標を取得するタッチパネルやマウス等のポインティングデバイス（座標入力手段）で構成することができる。
【００１３】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１４】
前記仕切り体は、撮影空間と編集空間を仕切る壁であり、編集空間側に編集手段を備え、または照明手段といった装置を備えた筐体など、撮影空間と編集空間とを仕切るもので構成することができる。  
前記撮影手段の左右真横は、レンズ先端の左右真横、焦点の左右真横、あるいはＣＣＤやＣＭＯＳ等の撮影素子の左右真横とすることができる。
【００１５】
この発明の態様として、前記仕切り体の前記撮影空間側に、撮影空間内の被写体を照明する照明手段を備えることができる。  
前記照明手段は、ストロボ発光するストロボ照明装置、蛍光灯や白熱灯等の連続照明装置、他の照明手段の照明を反射する反射体、他の照明手段の照明を拡散および反射する拡散反射体、またはこれらの組み合わせなど、適宜の照明手段で構成することができる。
【００１６】
この発明の態様として、前記仕切り体は、該撮影手段の画角の境界線に沿って板状に配置され、前記照明手段は、前記仕切り体の全面に渡って備えられる構成にすることができる。
【００１７】
またこの発明の態様として、前記撮影空間のうち前記撮影手段が備えられた正面と対向する背面に、利用者の出入りを許容する出入り口を備えることができる。
【発明の効果】
【００１８】
この発明により、多重接客が可能なように撮影空間と編集空間を個別に備え、かつ空間を効率良く利用できる写真撮影編集方法および写真撮影編集装置を提供することができる。
【発明を実施するための最良の形態】
【００１９】
この発明の一実施形態を以下図面と共に説明する。
【実施例１】
【００２０】
図１は写真シール作成装置１の平面図を示し、図２は写真シール作成装置１の右側面図を示し、図３は本体１０の正面図を示し、図４は写真シール作成装置１を左背面上方から見た斜視図を示す。
【００２１】
写真シール作成装置１は、図示省略するフレームにより全体が略直方体に構成されており、このフレーム内の手前側に撮影空間Ｚが備えられ、フレーム内の奥側の左右に２つの編集空間Ａ，Ｂが配設されている。この撮影空間Ｚは、自然人２人が横並びに並べる幅より広い幅に構成されている。
【００２２】
編集空間Ａ，Ｂの間となる写真シール作成装置１の奥側中央には、前後に長い本体１０が備えられている。また、本体１０の手前側の左右両横には、中央のデジタルカメラ２３から手前に向かって左右に広がるように仕切り体７Ａ，７Ｂが左右対称に設けられている。この仕切り体７Ａ，７Ｂは、本体１０の手前側の左右両横から写真シール作成装置１の左右端まで一直線に続く奥行き方向の厚みが一定の略板状の部材であり、写真シール作成装置１の上下左右全面に渡って設けられている。従って、左側の仕切り体７Ａは、左側の編集空間Ａと撮影空間Ｚとを完全に分離し、右側の仕切り体７Ｂは、右側の編集空間Ｂと撮影空間Ｚとを完全に分離している。
【００２３】
また、左側の仕切り体７Ａは、デジタルカメラ２３の画角の境界線である左側画角境界線２３ａに沿って、左側画角境界線２３ａより撮影空間Ｚの外側（向こう側）で左側画角境界線２３ａ近傍に配置されている。
【００２４】
同様に、右側の仕切り体７Ｂは、デジタルカメラ２３の画角の境界線である右側画角境界線２３ｂに沿って、右側画角境界線２３ｂより撮影空間Ｚの外側（向こう側）で右側画角境界線２３ｂ近傍に配置されている。
【００２５】
従って撮影空間Ｚは、平面視すると中央のデジタルカメラ２３から手前に向かって末広がりとなる略三角形状の部分を有しており、デジタルカメラ２３の画角の外側空間が削られた形状に構成されている。
【００２６】
また編集空間Ａは、仕切り体７Ａとの境界部分が左右方向外側へ行くほど撮影空間Ｚに向かって突出する逆三角部分を有しており、デジタルカメラ２３の左右真横より撮影空間Ｚ側に向かって拡張されている。同様に、編集空間Ｂは、仕切り体７Ｂとの境界部分が左右方向外側へ行くほど撮影空間Ｚに向かって突出する逆三角部分を有しており、デジタルカメラ２３の左右真横より撮影空間Ｚ側に向かって拡張されている。
【００２７】
撮影空間Ｚの手前側には、背景部材９が設けられている。この背景部材９は、撮影空間Ｚ側の面が白色などの背景色に塗装された壁である。撮影空間Ｚの左右には、出入り口カーテン８ａ，８ｂがそれぞれ配設されている。利用者は、この出入り口カーテン８ａ，８ｂをめくって撮影空間Ｚに出入りすることができる。
【００２８】
撮影空間Ｚの上部である天井部分には、図２に示すように天井照明装置２２Ｅが設けられている。この天井照明装置２２Ｅは、内部にストロボ発光体が設けられ下面に拡散板が傾斜配置されており、ストロボ発光体の閃光を拡散板で拡散しつつ本体１０の正面に向けて斜め下方に照射する。
【００２９】
本体１０は、図３に示すように、正面に上方から正面上部照明装置２２Ｃ、デジタルカメラ２３、画像表示部２４、撮影表示部２５、および正面下部照明装置２２Ｄがこの順で備えられている。
【００３０】
また仕切り体７Ａには、撮影空間Ｚ側の表面の全面に渡って正面左照明装置２２Ａが設けられており、仕切り体７Ｂには、撮影空間Ｚ側の表面の全面に渡って正面右照明装置２２Ｂが設けられている。
【００３１】
これらの正面左照明装置２２Ａ、正面右照明装置２２Ｂ、正面上部照明装置２２Ｃおよび正面下部照明装置２２Ｄは、天井照明装置２２Ｅから照射された光を撮影空間Ｚ側へ向けて拡散し反射する平面状の拡散反射板（例えば表面の荒い白色板など）により構成されている。この拡散反射板は、利用者を綺麗に照明するために、正面を斜め上方に向けるなど適宜の角度を持たせて備えられている。
【００３２】
正面下部照明装置２２Ｄの拡散板の一部には、硬貨処理部の硬貨投入口２１ａおよび硬貨払い出し口２１ｂが設けられている。  
また、本体１０の手前側の左右側方には、音声出力を行うスピーカ２６（図２参照）が備えられている。
【００３３】
編集空間Ａには、本体１０の左側面（図１参照）と、仕切り体７Ａの背面が位置している。図４に示すように、仕切り体７Ａの背面には、表示手段となる編集表示部３１Ａとこれに重ねたタッチパネル３２Ａが設けられており、タッチペン３３Ａおよびスピーカ３４Ａも設けられている。本体１０の左側面には、利用者が編集作業時に腰掛けられる椅子３９Ａ、およびプリンタ３６Ａが設けられている。なお、椅子３９Ａは、利用者が荷物を置く荷物置き棚としても利用できる。
【００３４】
編集空間Ｂは、編集空間Ａと左右対称に構成されており、図示省略する編集表示部３１Ｂ、タッチパネル３２Ｂ、タッチペン３３Ｂ、スピーカ３４Ｂ、椅子３９Ｂ、およびプリンタ３６Ｂが設けられている。
【００３５】
図５は、写真シール作成装置１のブロック図を示す。  
写真シール作成装置１は、制御装置１２に接続して、記憶部１１、ＲＯＭ１３、ＲＡＭ１４、撮影部２０、編集部３０、ＩＤタグリーダライタ３５、およびプリンタ３６が設けられている。
【００３６】
記憶部１１は、ハードディスクなどの記憶装置で構成されており、編集処理に使用する編集ツールのデータや照明設定データ、およびプレイ時間設定データなどの各種データを記憶しており、制御装置１２による設定情報の読み込みおよび保存を許容する。
【００３７】
ＲＯＭ１３は、写真シール作成装置１で実行するゲームのプログラムやメンテナンス用のプログラムなど、各種プログラムやデータを記憶している。  
ＲＡＭ１４は、制御装置１２によって一時記憶領域として使用される。
【００３８】
撮影部２０は、硬貨処理部２１、照明装置２２、デジタルカメラ２３、画像表示部２４、撮影表示部２５、およびスピーカ２６といったように、撮影空間Ｚ側に配置された各種装置で構成されている。
【００３９】
硬貨処理部２１は、貨投入口２１ａ（図３参照）から投入された硬貨の投入金額が１ゲーム（硬貨投入から写真シール紙排出まで）に必要な金額以上であれば、起動信号を制御装置１２に送信する。
【００４０】
照明装置２２は、制御装置１２から受信した照明制御信号に従い、上述した天井照明装置２２Ｅ内のストロボ発光体から閃光を照射する。
【００４１】
デジタルカメラ２３は、制御装置１２から受信したシャッタ信号に従って撮影を実行し、取得した撮影画像や動画像の画像データを制御装置１２に送信する。
【００４２】
画像表示部２４は、制御装置１２から受信したＲＧＢ信号に従って、撮影前の確認用にデジタルカメラ２３で撮影している動画像をライブビュー表示する等の表示を実行する。
【００４３】
撮影表示部２５は、制御装置１２からＲＧＢ信号を受信し、撮影により取得した撮影画像の静止画表示等を実行する。
【００４４】
スピーカ２６は、制御装置１２の音声信号に従って、撮影のシャッタタイミングを知らせるカウントダウンや、編集空間Ａまたは編集空間Ｂへの移動を促す移動案内などを音声によりアナウンスする。
【００４５】
編集部３０は、編集表示部３１、タッチパネル３２、タッチペン３３、およびスピーカ３４で構成されている。
【００４６】
編集表示部３１（３１Ａ，３１Ｂ）は、制御装置１２から受信するＲＧＢ信号に従って、撮影画像のサムネイル画像、フリーハンドペンや塗りつぶしツールやスタンプツールや背景ツールといった編集ツール、および編集中の編集画像など、編集に必要な画像を表示する。
【００４７】
タッチパネル３２（３２Ａ，３２Ｂ）は、タッチペン３３（３３Ａ，３３Ｂ）によって利用者にタッチ入力された座標を入力信号として制御装置１２に送信する。
【００４８】
スピーカ３４（３４Ａ，３４Ｂ）は、制御装置１２からの音声信号に従って、編集許容する残り時間や編集操作の説明などを音声によりアナウンスする。
【００４９】
ＩＤタグリーダライタ３５は、制御装置１２からの設定情報書き込み信号および設定信号読み込み信号に従って、シール紙ユニット４０に備えられているＩＤタグ（ＲＦ−ＩＤタグ）４１と非接触で通信し、設定情報の読み書きを実行する。
【００５０】
プリンタ３６は、制御装置１２から受信する印刷データを、シール紙ユニット４０に備えられているシール紙４２に印刷する。
【００５１】
図６は、写真シール作成装置１の制御装置１２が実行するゲーム処理のフローチャートを示す。
【００５２】
制御装置１２は、ゲーム料金分の硬貨の投入を硬貨処理部２１で確認するまで待機し（ステップＳ１：ＮＯ）、ゲーム料金分の硬貨が投入されると（ステップＳ１：ＹＥＳ）、撮影設定処理を実行する（ステップＳ２）。この撮影設定処理は、撮影枚数の決定や、撮影モード（照明効果や編集ツールなどを異ならせた複数のモード）の決定など、撮影に関する設定を行う。
【００５３】
制御装置１２は、照明装置２２によって被写体である利用者を照明しつつデジタルカメラ２３で撮影する撮影処理を実行する（ステップＳ３）。
【００５４】
制御装置１２は、撮影処理が終了すると編集空間Ａまたは編集空間Ｂへの移動を撮影表示部２５およびスピーカ２６により利用者に案内する（ステップＳ４）。このとき案内する編集空間Ａ，Ｂは、利用中ではなく空いている方の編集空間ＡまたはＢへ案内するようにする。
【００５５】
制御装置１２は、案内した側の編集空間ＡまたはＢに設置された編集部３０Ａまたは３０Ｂでの編集を許容し（ステップＳ５）、完成した編集画像を適宜のパターンに配置した印刷画像をシール紙に印刷する印刷処理を実行する（ステップＳ６）。
【００５６】
制御装置１２は、印刷完了したシール紙である写真シールシートを排出し（ステップＳ７）、処理を終了する。
【００５７】
以上の構成および動作により、利用者は撮影空間Ｚで撮影し、編集空間Ａ，Ｂのいずれかで編集することができる。撮影空間Ｚ、編集空間Ａ、および編集空間Ｂは、いずれも区分けされた独立の空間であるため、各空間でのそれぞれの接客（撮影処理や編集処理など）を同時進行で実行することができる。
【００５８】
編集空間Ａ，Ｂの一部は、デジタルカメラ２３より撮影方向前方で、かつデジタルカメラ２３の死角となる画角の外側（左側画角境界線２３ａおよび右側画角境界線２３ｂの外側）で、かつ撮影空間Ｚの左右幅より内側に位置させているため、図１１の平面図に斜線で示すように、従来の写真シール作成装置に存在していたデッドスペースを排除して空間を効率よく利用することができる。
【００５９】
また、照明手段としての正面左照明装置２２Ａおよび正面右照明装置２２Ｂを、デジタルカメラ２３の画角の境界線である左側画角境界線２３ａおよび右側画角境界線２３ｂにそれぞれぎりぎりまで近づけることで、被写体である利用者に照明手段をぎりぎりまで近づけることができる。  
これにより、利用者をくすみなく明るく写すことができる。また、利用者が多人数で撮影した場合、デジタルカメラ２３から遠くなる左右の端に位置する利用者を、正面左照明装置２２Ａおよび正面右照明装置２２Ｂのそれぞれで近い位置から照明でき、くすみなく明るく撮影することができる。
【００６０】
また、照明手段としての正面左照明装置２２Ａおよび正面右照明装置２２Ｂをデジタルカメラ２３の死角に配置でき、空間を効率よく利用することができる。  
また、編集手段としての編集表示部３１Ａ，３１Ｂをデジタルカメラ２３の死角に配置でき、空間を効率よく利用することができる。
【００６１】
また、従来デジタルカメラ２３の死角に生じていたデッドスペースを排除したことで、編集空間Ａ，Ｂと撮影空間Ｚとが近づき、利用者が撮影空間Ｚから編集空間ＡまたはＢに移動する距離と時間を短縮することができる。従って、利用者の回転率を向上できる。
【００６２】
また、デッドスペースの活用によって編集空間Ａ，Ｂを広くすることができる。これにより、多人数の利用者を編集空間Ａ，Ｂに収容できる。  
また、仕切り体７Ａ，７Ｂの各編集空間側表面と、本体１０の側面との角度を、それぞれ９０度より広い広角にしているため、タッチパネル３２の前方の空間を、タッチパネル３２から遠ざかるにつれて左右幅が広い形状に構成することができる。従って、タッチペン３３でタッチパネル３２にタッチ入力して編集する２人の利用者を、該利用者の後方から左右にかけて多人数の利用者が取り囲むことができる。このため、利用者の人数が多い場合でも全員がストレスなく編集表示部３１の表示を見ることができ、また後ろや横から編集に加わることができる。
【００６３】
なお、背景部材９の撮影空間Ｚ側には、背景演出用のロールカーテンを備えてもよい。この場合、制御装置１２の制御によってロールカーテンをモータ等の適宜の駆動手段で昇降する構成にすると良い。
【実施例２】
【００６４】
図７は、実施例２の写真シール作成装置２の平面図を示す。  
この写真シール作成装置２は、撮影空間Ｚの左右両側にプリンタ３６Ａ，３６Ｂを配設し、撮影空間Ｚの手前側（デジタルカメラ２３と反対側）に１つの出入り口カーテン８を備えたものである。
【００６５】
それ以外の構成要素および動作は、実施例１の写真シール作成装置１と同一であるので、同一要素に同一符号を付して詳細な説明を省略する。
【００６６】
以上の写真シール作成装置２により、上述した実施例１と同一の効果を得ることができる。  
また、撮影空間Ｚに出入りするための出入り口カーテン８が手前側の面にのみ設けられているため、前の利用者が撮影空間Ｚから出たことを、順番待ちしている次の利用予定者がタイムラグなく確実に認識できる。つまり、実施例１の写真シール作成装置１の場合、前の利用者が撮影空間Ｚから出入り口カーテン８ｂをめくって退出すると、出入り口カーテン８ａの前で順番待ちしている利用予定者は利用者の退出に気づかないことがある。しかし、出入り口カーテン８を手前側に設けたことで、このようなことを防止できる。
【００６７】
また、出入り口カーテン８を手前側に設けたため、利用者は撮影空間Ｚから退出して編集空間Ａ，Ｂのいずれにも同距離および同時間で移動することができる。例えば実施例１の写真シール作成装置１で出入り口カーテン８ａ，８ｂのいずれか一方を塞いだ構成にした場合、前の利用者の退出は確実に確認できても、編集空間Ａ，Ｂのどちらへ移動するかによって移動する距離および時間が異なってくる。しかし、出入り口カーテン８を手前側に設けたことで、このようなことを防止でき、利用者の移動をスムーズにできる。従って、前の利用者が処理終了してから次の利用者が処理開始するまでの時間を短縮させることができ、利用者の回転率を向上させることができる。
【００６８】
また、出入り口カーテン８を手前側に設けたことで、出入り口の幅を広くすることができる。例えば撮影空間の前後長さを短く構成し、仕切り体７Ａ，７Ｂを撮影空間Ｚの左右端ぎりぎりまで撮影手段の画角に沿って設けた場合、撮影空間Ｚの左右両側部は幅が狭くなるが、このような場合でも撮影空間Ｚの手前側の幅は変わらないため、広い出入り口を確保できる。
【実施例３】
【００６９】
図８は、実施例３の写真シール作成装置３の本体１０の正面図を示す。  
この写真シール作成装置３は、仕切り体７Ａ，７Ｂの撮影空間Ｚ側を単に壁面としたものである。従って、正面左照明装置２２Ａおよび正面右照明装置２２Ｂを備えていない。それ以外の構成および動作は実施例１の写真シール作成装置１と同一である。
【００７０】
以上の写真シール作成装置３により、照明効果を除いて上述した写真シール作成装置１と同一の効果を奏することができる。また、正面左照明装置２２Ａおよび正面右照明装置２２Ｂを備えていない分、仕切り体７Ａ，７Ｂを薄型化することができる。
【実施例４】
【００７１】
図９は、実施例４の写真シール作成装置４の本体１０の正面図を示す。  
この写真シール作成装置４は、正面左照明装置２２Ａおよび正面右照明装置２２Ｂに、拡散反射板ではなく蛍光灯２２ａ，２２ｂによる照明装置を備えている。
【００７２】
正面左照明装置２２Ａおよび正面右照明装置２２Ｂは、正面全面に渡って乳白色の半透明の拡散板２８ａ，２８ｂをそれぞれ備えており、内部に上下に長い蛍光灯２２ａ，２２ｂを複数本左右に並べて配設している。
【００７３】
また、正面上部照明装置２２Ｃおよび正面下部照明装置２２Ｄについても、正面左照明装置２２Ａおよび正面右照明装置２２Ｂと同様に、拡散反射板ではなく正面全面に渡って設けられた乳白色の半透明の拡散板と内部に設けられた蛍光灯とで構成されている。
【００７４】
以上の構成により、照明効果を除いて上述した写真シール作成装置１と同一の効果を奏することができる。
【００７５】
なお、以上の各実施形態において、正面左照明装置２２Ａ、正面右照明装置２２Ｂ、正面上部照明装置２２Ｃおよび正面下部照明装置２２Ｄは、拡散反射板の代わりに、正面に拡散板を設けてその内部にストロボ発光体を備えて構成してもよい。また、正面左照明装置２２Ａ、正面右照明装置２２Ｂ、正面上部照明装置２２Ｃおよび正面下部照明装置２２Ｄは、ＬＥＤ等の発光体を備えても良い。
【００７６】
また、タッチパネル３２Ａ，３２Ｂおよび編集表示部３１Ａ，３１Ｂは、図４に図示した位置以外の位置に備えることもできる。この場合、本体１０側面の左右方向中央から、仕切り体７Ａ，７Ｂ表面の各左右方向中央までの間に備えることが好ましい。例えば、図１０（Ａ）の斜視図に示すように、本体１０と仕切り体７Ａ，７Ｂの接続部分に本体１０と仕切り体７Ａ，７Ｂに跨るように備えることや、図１０（Ｂ）の斜視図に、本体１０に備えることができる。このような場合でも、編集空間Ａ，Ｂを広く構成でき、また、タッチペン３３で編集する２人の利用者を多人数の利用者が取り囲み全員がストレスなく編集表示部３１の表示を見ることができる。
【００７７】
また、プリンタ３６Ａ，３６Ｂ（図１参照）は本体１０の両側面にそれぞれ配設したが、図１０（Ｂ）に示すように、本体１０の背面に１つのプリンタ３６を備える構成にしてもよい。この場合はコストダウンを図ることができる。
【００７８】
この発明の構成と、上述の実施形態との対応において、
この発明の写真撮影編集装置は、実施形態の写真シール作成装置１，２，３，４に対応し、
以下同様に、
出入り口は、出入り口カーテン８に対応し、
照明手段は、正面左照明装置２２Ａおよび正面右照明装置２２Ｂに対応し、
撮影手段は、デジタルカメラ２３に対応し、
画角の外側は、左側画角境界線２３ａおよび右側画角境界線２３ｂの外側に対応し、
編集手段は、タッチパネル３２，３２Ａおよびタッチペン３３，３３Ａに対応し、
出力手段は、プリンタ３６，３６Ａ，３６Ｂに対応し、
撮影処理は、ステップＳ３に対応し、
編集処理は、ステップＳ５に対応するも、
この発明は、上述の実施形態の構成のみに限定されるものではなく、多くの実施の形態を得ることができる。
【図面の簡単な説明】
【００７９】
【図１】写真シール作成装置の平面図。
【図２】写真シール作成装置の右側面図。
【図３】本体の正面図。
【図４】写真シール作成装置を左背面上方から見た斜視図。
【図５】写真シール作成装置のブロック図。
【図６】制御装置が実行するゲーム処理のフローチャート。
【図７】実施例２の写真シール作成装置の平面図。
【図８】実施例３の写真シール作成装置の本体の正面図。
【図９】実施例４の写真シール作成装置の本体の正面図。
【図１０】他の実施例の写真シール作成装置を左背面上方から見た斜視図。
【図１１】従来の写真シール作成装置の平面図。
【符号の説明】
【００８０】
１，２，３，４…写真シール作成装置
７Ａ，７Ｂ…仕切り体
８…出入り口カーテン
２２Ａ…正面左照明装置
２２Ｂ…正面右照明装置
２３…デジタルカメラ
２３ａ…左側画角境界線
２３ｂ…右側画角境界線
３２，３２Ａ，３２Ｂ…タッチパネル
３３，３３Ａ，３３Ｂ…タッチペン
３６，３６Ａ，３６Ｂ…プリンタ
Ａ，Ｂ…編集空間
Ｚ…撮影空間
【図１】
0004492580.tif 000002
【図２】
0004492580.tif 000003
【図３】
0004492580.tif 000004
【図４】
0004492580.tif 000005
【図５】
0004492580.tif 000006
【図６】
0004492580.tif 000007
【図７】
0004492580.tif 000008
【図８】
0004492580.tif 000009
【図９】
0004492580.tif 000010
【図１０】
0004492580.tif 000011
【図１１】
0004492580.tif 000012